【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
無線を介して公衆通信網に接続可能な通信手段を有する携帯端末装置において、
前記通信手段が稼動可能な汎用モード、および該通信手段が非稼動になり、該通信手段と連動しない非通信手段を使用可能な非通信モードを切り替え可能なモード切替手段を有することを特徴とする携帯端末装置。
【請求項２】
請求項１において、前記モード切替手段は、前記通信手段への電力供給をオンオフする手段であることを特徴とする携帯端末装置。
【請求項３】
請求項１において、前記携帯端末装置は、携帯電話またはＰＨＳであることを特徴とする携帯端末装置。
【請求項４】
請求項１において、当該携帯端末装置の現在位置の情報を取得可能な位置情報取得手段を有し、前記モード切替手段は前記現在位置に基づき前記汎用モードおよび／または前記非通信モードに切り替えることを特徴とする携帯端末装置。
【請求項５】
請求項４において、前記モード切替手段は、前記位置情報取得手段で前記現在位置の情報が得られないときは、前記非通信モードに切り替えることを特徴とする携帯端末装置。
【請求項６】
請求項４において、前記モード切替手段は、前記位置情報取得手段で前記現在位置の情報が得られるようになったときは、前記汎用モードに切り替えることを特徴とする携帯端末装置。
【請求項７】
請求項１において、さらに，前記通信手段に繋がる伸縮可能な通信用アンテナを有し、前記モード切替手段は、この通信用アンテナの伸び縮みに対応して前記汎用モードおよび前記非通信モードに切り替えることを特徴とする携帯端末装置。
【請求項８】
請求項１において、前記非通信モードであることを外部から識別可能な識別情報を出力する手段を有することを特徴とする携帯端末装置。
【請求項９】
請求項１において、さらに、前記汎用モードおよび前記非通信モードにおいて使用される汎用の第１の表示手段と、前記非通信モードであることを外部から識別可能な識別表示を表示する第２の表示手段とを有することを特徴とする携帯端末装置。
【請求項１０】
請求項９において、前記第２の表示手段は、前記第１の表示手段が設けられた該携帯端末装置の面と反対側の面に設けられていることを特徴とする携帯端末装置。
【請求項１１】
請求項９において、前記モード切替手段は、前記第２の表示手段を兼ねた切替スイッチを備えていることを特徴とする携帯端末装置。
【請求項１２】
請求項９において、前記第２の表示手段は予めデザインされた前記識別表示を備えており、前記非通信モードに切り替わると前記識別表示が点灯することを特徴とする携帯端末装置。
【請求項１３】
請求項９において、前記第２の表示手段は、キャラクタまたはイメージの表示が可能であり、前記非通信モードに切り替わるとユーザが選択または作成した前記識別表示を前記第２の表示手段に表示する手段を有することを特徴とする携帯端末装置。
【請求項１４】
無線を介して公衆通信網に接続可能な通信手段を有する携帯端末装置の制御方法であって、
前記通信手段が稼動可能な汎用モードに切り替える第１の工程と、
該通信手段は非稼動になり、該通信手段と連動しない非通信手段を使用可能な非通信モードに切り替える第２の工程とを有することを特徴とする携帯端末装置の制御方法。
【請求項１５】
請求項１４において、前記携帯端末装置は携帯電話またはＰＨＳであることを特徴とする携帯端末装置の制御方法。
【請求項１６】
請求項１４において、前記携帯端末装置の現在位置の情報を取得する位置情報取得工程を有し、
前記第１および／または第２の工程では、前記位置情報取得工程で得た前記現在位置に基づき切り替えることを特徴とする携帯端末装置の制御方法。
【請求項１７】
請求項１６において、前記第２の工程では、前記現在位置の情報を得られないときに、前記非通信モードに切り替えることを特徴とする携帯端末装置の制御方法。
【請求項１８】
請求項１６において、前記第２の工程では、前記現在位置の情報が得られるようになったときに、前記汎用モードに切り替えることを特徴とする携帯端末装置の制御方法。
【請求項１９】
請求項１４において、前記携帯端末装置は、前記通信手段に接続された伸縮可能な通信用アンテナを有しており、前記第１および第２の工程では、前記通信用アンテナの伸び縮みに応じて切り替えることを特徴とする携帯端末装置の制御方法。
【請求項２０】
請求項１４において、前記携帯端末装置は、非通信モードであることを外部から識別可能な識別情報を出力する手段を有し、前記第２の工程では、前記出力を稼動することを特徴とする携帯端末装置の制御方法。
【請求項２１】
請求項１４において、前記携帯端末装置は、前記汎用モードおよび前記非通信モードにおいて使用される汎用の第１の表示手段に加え、前記非通信モードであることを外部から識別可能な識別表示を表示する第２の表示手段を有しており、
前記第２の工程では、前記第２の表示手段により前記識別表示を表示することを特徴とする携帯端末装置の制御方法。
【請求項２２】
請求項２１において、前記第２の表示手段は、予めデザインされた前記識別表示を点灯可能であり、前記第２の工程では、前記第２の表示手段を点灯することを特徴とする携帯端末装置の制御方法。
【請求項２３】
請求項２１において、前記第２の表示手段はキャラクタまたはイメージを表示可能であり、前記第２の工程では、ユーザが選択または作成した前記識別表示を前記第２の表示手段に表示することを特徴とする携帯端末装置の制御方法。
【請求項２４】
無線を介して公衆通信網に接続可能な通信手段を有する携帯端末装置の制御プログラムであって、
前記通信手段が稼動可能な汎用モードに切り換える第１の工程と、
該通信手段は非稼動になり、該通信手段と連動しない非通信手段を使用可能な非通信モードに切り替える第２の工程とを実行可能な命令を有する前記制御プログラムが記録されていることを特徴とするコンピュータ読み取り可能な記録媒体。
【請求項２５】
請求項２４において、前記携帯端末装置の現在位置の情報を取得する位置情報取得工程をさらに有し、
前記第１および／または第２の工程では、前記位置情報取得工程で得た前記現在位置に基づき切り替える処理を実行可能な命令を有する前記制御プログラムが記録されていることを特徴とするコンピュータ読み取り可能な記録媒体。
【請求項２６】
請求項２５において、前記第２の工程では、前記現在位置の情報を得られないときに、前記非通信モードに切り替える処理を実行可能な命令を有する前記制御プログラムが記録されていることを特徴とするコンピュータ読み取り可能な記録媒体。
【請求項２７】
請求項２５において、前記第２の工程では、前記現在位置の情報がえられるようになったときに、前記汎用モードに切り替える処理を実行可能な命令を有する前記制御プログラムが記録されていることを特徴とするコンピュータ読み取り可能な記録媒体。
【請求項２８】
請求項２５において、前記携帯端末装置は、前記汎用モードおよび前記非通信モードにおいて使用される汎用の第１の表示手段に加え、前記非通信モードであることを外部から識別可能な識別表示を表示する第２の表示手段を有しており、
前記第２の工程では、前記第２の表示手段により前記識別表示を表示する処理を実行可能な命令を有する前記制御プログラムが記録されていることを特徴とするコンピュータ読み取り可能な記録媒体。